(57)【要約】【課題】カード払い出し装置や物品販売装置において払い出したカードや物品の情報をユーザーの携帯情報機器に反映させることである。【解決手段】カード排出装置１であって、カードを格納し、格納されたカードを排出するカード排出部９と、ネットワークを介してデータの送受信を行う通信部１９と含む。排出されたカードのカード識別情報である排出カード識別情報を検出する排出カード識別情報検出部２０を含み、検出した排出カード識別情報を無線で送信する。ゲーム実行部２３とをさらに含み、ゲーム実行に先立ち排出されたカードの排出カード識別情報を用いて、ゲームを実行したり、実行されたゲーム結果に基づき、ゲーム結果情報を生成したりする。【選択図】図９
2007215704.tif 000002
【特許請求の範囲】
【請求項１】
カード排出装置であって、
カードを格納し、格納されたカードを排出するカード排出部と、
ネットワークを介してデータの送受信を行う通信部とを、
を含むことを特徴とするカード排出装置。
【請求項２】
請求項１において、
前記カード排出部は、
カード識別情報が付加されたカードを格納し、
排出されたカードのカード識別情報である排出カード識別情報を検出する排出カード識別情報検出部と、を含み、
前記通信部は、
検出した排出カード識別情報を送信することを特徴とするカード排出装置。
【請求項３】
請求項１乃至２のいずれかにおいて、
所与のゲームを実行するゲーム実行部とをさらに含むことを特徴とするカード排出装置。
【請求項４】
請求項３において、
前記ゲーム実行部は、
ゲーム実行に先立ち検出された排出カード識別情報を用いて、ゲームを実行することを特徴とするカード排出装置。
【請求項５】
請求項３乃至４のいずれかにおいて、
前記ゲーム実行部は、
実行されたゲーム結果に基づき、ゲーム結果情報を生成し、
前記通信部は、
前記ゲーム結果情報を送信することを特徴とするカード排出装置。
【請求項６】
請求項５において、
前記ゲーム実行部は、
前記ゲーム結果情報の通信状況に応じてゲーム時間を延長することを特徴とするカード排出装置。
【請求項７】
請求項３乃至６において、
前記カード排出部は、
ゲーム実行後にカードを排出することを特徴とするカード排出装置。
【請求項８】
請求項３乃至７のいずれかにおいて、
カードに付加されているカード識別情報を読み取るカード情報読み取り部とをさらに含み、
前記ゲーム実行部は、
カード識別情報に基づき当該カードに関連した情報の送信を要求するためのカード関連情報送信要求を作成し、カード関連情報送信要求に対応して受け取ったカード関連情報を用いてゲームを実行し、
前記通信部は、
前記カード関連情報送信要求を送信し、カード関連情報を受信することを特徴とするカード排出装置。
【請求項９】
請求項１乃至８のいずれかにおいて、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信することを特徴とするカード排出装置。
【請求項１０】
請求項１乃至９のいずれかにおいて、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信することを特徴とするカード排出装置。
【請求項１１】
請求項１乃至１０のいずれかにおいて、
前記通信部は、
ネットワークを介して通信機能付き携帯情報機器と無線でデータの送受信を行うよう構成され、
通信機能付き携帯情報機器を内部に配置可能な電波遮蔽ユニットを含む電波遮蔽ユニット部を、さらに含むことを特徴とするカード排出装置。
【請求項１２】
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
排出されたカードの排出カード識別情報を検出するカード情報検出部と、
ネットワークを介してデータの送受信を行う通信部と、を含み
前記通信部は、
検出した排出カード識別情報を送信し、
前記携帯情報機器は、
ネットワークを介してデータの送受信を行う通信部と、
カードに関連したカード関連情報が格納されたカードファイルを管理するカードファイル管理部と、を含み、
前記通信部は、
前記排出カード識別情報を受信し、
前記カードファイル管理部は、
受信した排出カード識別情報に基づき、カードファイルのカード関連情報を更新することを特徴とするカード情報管理システム。
【請求項１３】
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
所与のゲームを実行するゲーム実行部と、
ネットワークを介してデータの送受信を行う通信部と、を含み
前記ゲーム実行部は、
実行されたゲーム結果に基づき、ゲーム結果情報を生成し、
前記通信部は、
前記ゲーム結果情報を送信し、
前記携帯情報機器は、
ネットワークを介してデータの送受信を行う通信部と、
カードに関連づけられた情報が格納されたカードファイルを管理するカードファイル管理部と、を含み、
前記通信部は、
前記ゲーム結果情報を受信し、
前記カードファイル管理部は、
受信したゲーム結果情報に基づき、カードファイルの内容を更新することを特徴とするカード情報管理システム。
【請求項１４】
請求項１２乃至１３のいずれかにおいて、
前記カード排出装置は、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信し、
前記携帯情報機器は、
パスワード入力受け付け部をさらに含み、
前記カードファイル管理部は、
入力されたパスワードと当該機器を特定する機器特定情報を含む情報送信要求を生成し、情報送信要求に応じて受け取った送信データに基づき、カードファイルのカード関連情報を更新し、
前記通信部は、
前記情報送信要求を無線で送信し、送信データを無線で受信することを特徴とするカード情報管理システム。
【請求項１５】
請求項１２乃至１３のいずれかにおいて、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信し、
前記携帯情報機器は、
パスワード入力受け付け部をさらに含み、
前記カードファイル管理部は、
入力されたパスワードを暗号化キーとして、受信した暗号化送信データを解読し、カードファイルのカード関連情報を更新し、
前記通信部は、
暗号化送信データを無線で受信することを特徴とするカード情報管理システム。
【請求項１６】
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
所与のゲームを実行するゲーム実行部と、
カードを格納し、格納されたカードを排出するカード排出部と、
ネットワークを介してデータの送受信を行う通信部とを、
カードに付加されているカード識別情報を読み取るカード情報読み取り部と、を含み
前記ゲーム実行部は、
カード識別情報に基づき当該カードに関連した情報の送信を要求するためのカード関連情報送信要求を作成し、カード関連情報送信要求に対応して受け取ったカード関連情報を用いてゲームを実行し、
前記通信部は、
前記カード関連情報送信要求を送信し、カード関連情報を受信し、
前記携帯情報機器は、
ネットワークを介してデータの送受信を行う通信部と、
カードに付帯させる情報が格納されたカードファイルを管理するカードファイル管理部と、を含み、
前記通信部は、
カード関連情報送信要求を受信し、カード関連情報送信要求に対応したカード関連情報を送信し、
前記カードファイル管理部は、
カード関連情報送信要求に基づき、当該カードに関連付けてカードファイルに格納されている情報を読み出してカード関連情報を生成することを特徴とするカード情報管理システム。
【請求項１７】
請求項１５乃至１６のいずれかにおいて
前記ゲーム実行部は、
サーバを介して他の払い出し装置とマルチプレーヤゲームを行うことを特徴とするカード情報管理システム。
【請求項１８】
請求項１５に従属する請求項１７において、
前記カード排出装置の前記ゲーム実行部は、
実行されたマルチプレーヤゲームのゲーム結果に基づき、ゲーム結果情報を生成することを特徴とするカード情報管理システム。
【請求項１９】
請求項１５に従属する請求項１７において、
前記カード排出装置の前記ゲーム実行部は、
カード関連情報送信要求に対応して受け取ったカード関連情報を用いてマルチプレーヤを行うことを特徴とするカード情報管理システム。
【請求項２０】
物品排出装置であって、
物品を格納し、格納された物品を排出する物品排出部と、
ネットワークを介してデータの送受信を行う通信部と、
を含むことを特徴とする物品排出装置。
【請求項２１】
請求項２０において、
前記物品排出部は、
物品識別情報が付加された物品を格納し、
排出された物品の物品識別情報である排出物品識別情報を検出する排出物品識別情報検出部と、を含み、
前記通信部は、
検出した排出物品識別情報または排出物品識別情報に基づき生成される情報を送信することを特徴とする物品排出装置。
【請求項２２】
請求項２１において、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信することを特徴とする物品排出装置。
【請求項２３】
請求項２１において、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信することを特徴とする物品排出装置。
【請求項２４】
請求項２０乃至２３のいずれかにおいて、
前記通信部は、
ネットワークを介して通信機能付き携帯情報機器と無線でデータの送受信を行うよう構成され、
通信機能付き携帯情報機器を内部に配置可能な電波遮蔽ユニットを含む電波遮蔽ユニット部を、さらに含むことを特徴とする物品排出装置。
【発明の詳細な説明】
【技術分野】
【０００１】
本発明は、カード払い出し装置、カード情報管理システム及び物品排出装置に関する。
【背景技術】
【０００２】
従来のカードゲーム機では、単純にカードを販売することだけが目的であり、ゲームもその場で完結してしまうものがほとんどであった。
【０００３】
従来あるカード排出装置としては、ゲーム開始前にバーコード付カードのバーコードを読み取るものがある。
【特許文献１】特許第３１５１９７８号
【発明の開示】
【発明が解決しようとする課題】
【０００４】
しかしカードゲーム機（カード払い出し装置の一例）のユーザーの多くは子供であり、多くのユーザーが携帯型ゲーム機を所有している現状であるが、カードゲーム機の情報を自動的に携帯型ゲーム機に反映させることができなかった。
【０００５】
本発明は、以上の問題に鑑みなされたものであり、その目的とするところは、カード払い出し装置や物品販売装置において払い出したカードや物品の情報をユーザーの携帯情報機器に反映させることである。
【０００６】
また本発明の他の目的はユーザーの携帯情報機器の情報をカード払い出し装置や物品販売装置に反映させることである。
【課題を解決するための手段】
【０００７】
（１）本発明は、
カード排出装置であって、
カードを格納し、格納されたカードを排出するカード排出部と、
ネットワークを介してデータの送受信を行う通信部とを、
を含むことを特徴とする。
【０００８】
カード排出部は、種類の異なるカードを混合して格納することにより、ユーザーにはどのカードが払いだされるのかわからないように構成してもよい。また種類の異なるカードが所定の順番（ユーザーには明らかにされていない順番）で払いだされるようにしてもよいし、種類の異なるカードがランダムにまたは所定のアルゴリズムに従って払い出されるように構成してもよい。
【０００９】
ネットワークを介して接続されたとは、インターネットや専用回線、またはＰＨＳなどの通信網を介して接続される場合でもよいし、有線または無線のＬＡＮ回線を介して接続される場合でもよいし、赤外線通信で接続される場合でもよい。
【００１０】
なおカードの払い出しは有償無償を問わない。
【００１１】
（２）本発明のカード排出装置は、
前記カード排出部は、
カード識別情報が付加されたカードを格納し、
排出されたカードのカード識別情報である排出カード識別情報を検出する排出カード識別情報検出部と、を含み、
前記通信部は、
検出した排出カード識別情報を送信することを特徴とする。
【００１２】
カード識別情報とは、カードやカードの種類やカードの属性を特定するための情報であり、カードにシリアルに付加されたＩＤや番号でもよいし、カードの種類やカードの持つ属性等に応じて付加されたＩＤや番号でもよい。
【００１３】
カード識別情報は、バーコード、磁気記録媒体、ＩＣチップ等に格納された情報としてカードに付加するようにしてもよい。
【００１４】
カード識別情報の検出は、カード排出部からカードが排出される際に読み取り装置を用いて検出することができ、バーコードが貼付されたカードであれば光学式のスキャナで検出することができる。また磁気記録媒体が貼付されたカードであれば磁気を用いたカードリーダで検出することができ、ＩＣチップを内臓するカードであれば電波を用いたカードリーダで検出することができる。
【００１５】
排出カード識別情報は有線で送信しても無線で送信してもよい。
【００１６】
検出した排出カード識別情報は、送信相手が特定できる場合にはユニキャスト方式で送信するようにしてもよい。また送信相手が特定できない場合にはブロードキャスト方式で送信するようにしてもよい。
【００１７】
（３）本発明のカード排出装置は、
所与のゲームを実行するゲーム実行部とをさらに含むことを特徴とする。
【００１８】
ゲーム実行部は、入力情報及び所与のゲームプログラムに基づき所与のゲームを実行する。
【００１９】
（４）本発明のカード排出装置は、
前記ゲーム実行部は、
ゲーム実行に先立ち検出された排出カード識別情報を用いて、ゲームを実行することを特徴とする。
【００２０】
排出カード識別情報を用いて、ゲームを実行するとは例えば排出カード識別情報に対応付けられたキャラクタ又はキャラクタの種類に応じたキャラクタを用いてゲームを実行するような場合をいう。
【００２１】
また例えばゲーム実行部が、ユーザーが手持ちのカードを用いてゲームを実行するための構成（例えばユーザーの手持ちのカードのカード識別コードを読み取るカードリーダ等）を有している場合には、排出カード識別情報に対応付けられたキャラクタ又はキャラクタの種類に応じたキャラクタをデフォルトで設定して、ユーザーが手持ちのカードを使用しない場合には、デフォルト設定でゲームを行うようにしてもよい。
【００２２】
なおゲーム実行部が実行するゲームは、カード払出装置においてプレーヤが一人でコンピュータを相手に行うタイプのゲームでもよいし、複数のプレーヤが１つのカード払出装置でマルチプレーヤゲームを行うタイプのゲームでもよいし、複数のカード払出装置をネットワークを介して接続し、複数のプレーヤがマルチプレーヤゲームを行うタイプのゲームでもよい。
【００２３】
（５）本発明のカード排出装置は、
前記ゲーム実行部は、
実行されたゲーム結果に基づき、ゲーム結果情報を生成し、
前記通信部は、
前記ゲーム結果情報を送信することを特徴とする。
【００２４】
カードファイルは送信先の通信情報機器（例えば携帯型ゲーム機や携帯電話等の無線通信機能付き携帯型情報機器やパーソナルコンピュータ等）が有している。
【００２５】
カードファイルには、カードを用いて所与のゲームを行う場合のゲーム結果（対戦ゲームの場合の勝敗や対戦結果等も含む）やゲームによって変化したキャラクタの属性や設定やパラメータ等のカードに関連して設定されるカード関連情報が、カード識別情報に関連付けて格納されている。ここでカード自体に記憶されている情報はカード識別情報で、カード関連情報はカード自体には記録されていない場合でもよい。また例えばカードとしてＩＣカード等を用いる場合には、カード自体にカード関連情報が記録され、更新されるようにしてもよい。
【００２６】
本発明によれば、カード排出装置で実行されたゲーム結果に基づき送信先の通信情報機器が有するカードファイルの情報を更新することができる。
【００２７】
従ってカードファイルのカード関連情報を用いてゲームを行う際に、カード排出装置で実行されたゲーム結果を反映させることができる。
【００２８】
ゲーム結果情報は有線で送信しても無線で送信してもよい。
【００２９】
ゲーム結果情報は、送信相手が特定できる場合にはユニキャスト方式で送信するようにしてもよい。また送信相手が特定できない場合にはブロードキャスト方式で送信するようにしてもよい。
【００３０】
（６）本発明のカード排出装置は、
前記ゲーム実行部は、
前記ゲーム結果情報の通信状況に応じてゲーム時間を延長することを特徴とする。
【００３１】
本発明によればゲーム結果情報の通信が通信がとぎれたり、うまく行かなかったりして再度送信を行うような場合に、ゲーム時間を延長することができる。従ってゲーム結果情報の通信状況に応じて通信時間が延びても通信が終了するまでユーザーを飽きさせることなく待たせることができる。
【００３２】
（７）本発明のカード排出装置は、
前記カード排出部は、
ゲーム実行後にカードを排出することを特徴とする。
【００３３】
例えばゲーム実行後に、ゲーム実行結果と排出カード識別情報を関連づけて、送信するようにしてもよい。
【００３４】
なお本発明の場合カードはゲーム実行後に払い出されるので、ゲームがカードを用いるものである場合には、ゲームには当該カードを用いることができない。従ってかかる場合には、カードに設定されているカード識別情報を読み取るカード情報読み取り部とをさらに含むように構成し、カード情報読み取り部から読み取られたカード識別番号に基づきゲームを行うようにしてもよい。
【００３５】
（８）本発明のカード排出装置は、
カードに付加されているカード識別情報を読み取るカード情報読み取り部とをさらに含み、
前記ゲーム実行部は、
カード識別情報に基づき当該カードに関連した情報の送信を要求するためのカード関連情報送信要求を作成し、カード関連情報送信要求に対応して受け取ったカード関連情報を用いてゲームを実行し、
前記通信部は、
前記カード関連情報送信要求を送信し、カード関連情報を受信することを特徴とする。
【００３６】
カード関連情報はカード関連情報送信要求の送信先の通信情報機器（例えば携帯型ゲーム機や携帯電話等の無線通信機能付き携帯型情報機器やパーソナルコンピュータ等）のカードファイルに格納されている。
【００３７】
カードファイルには、カードを用いて所与のゲームを行う場合にゲーム結果やゲームによって変化したキャラクタの属性や設定やパラメータ等のカードに関連して設定されるカード関連情報が、カード識別情報に関連付けて格納されている。
【００３８】
ここでカード自体に記憶されている情報はカード識別情報のみで、カード関連情報はカード自体には記録されていない場合には、カード関連情報をカード読み取り機で読み取ることはできない。
【００３９】
本発明によれば、かかる場合でもカード関連情報送信要求を送信し、送信先の携帯情報機器からカード関連情報を受信して、受け取ったカード関連情報を用いてゲームを実行することができる。
【００４０】
カード関連情報送信要求やカード関連情報の送受信は無線で行ってもよいし、優先でおこなってもよい。
【００４１】
カード関連情報送信要求は、送信相手が特定できる場合にはユニキャスト方式で送信するようにしてもよい。また送信相手が特定できない場合にはブロードキャスト方式で送信するようにしてもよい。
【００４２】
（９）本発明のカード排出装置は、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信することを特徴とする。
【００４３】
ここにおいて情報送信要求とは、カード識別情報の送信要求でもよいし、ゲーム結果の送信要求でもよいし、その他の情報の送信要求でもよい。
【００４４】
所与の情報は、カード識別情報でもよいし、ゲーム結果もよいし、その他の情報でもよい。
【００４５】
所定のパスワードは、例えばカード排出装置の表示部に出力するようにしてもよい。
【００４６】
そしてユーザーは出力されたパスワードを、通信情報機器（例えば携帯型ゲーム機や携帯電話等の無線通信機能付き携帯型情報機器やパーソナルコンピュータ等）に入力すると、通信情報機器は入力されたパスワードと自機の機器特定情報を含む排出カード識別情報送信要求を送信するようにしてもよい。
【００４７】
このようにするとカード払い出し装置は、情報送信要求の中に自機が出力したパスワードが含まれていれば、その送信元が情報を送信すべき相手であると認識でき、情報送信要求に含まれる機器特定情報に基づき当該データの送信元の機器アドレスを特定し、特定された機器対してして送信データを送信することができる。
【００４８】
このように本発明によれば、パスワードを受け取ったユーザーの通信情報機器だけにユニキャスト（Unicast）方式で、排出カード識別情報を送信することができる。
【００４９】
またカード関連情報送信要求は、ブロードキャスト（Broadcast）方式で送信するようにしてもよい。
【００５０】
（１０）本発明のカード排出装置は、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信することを特徴とする。
【００５１】
送信データは、カード識別情報でもよいし、ゲーム結果もよいし、その他の情報でもよい。
【００５２】
所定のパスワードは、例えばカード排出装置の表示部に出力するようにしてもよい。
【００５３】
またカード関連情報送信要求は、ブロードキャスト（Broadcast）方式で送信するようにしてもよい。
【００５４】
通信情報機器に所定のパスワード入力を受け付け、所定のパスワードに基づき暗号化送信データが含まれた受信データを解読するような機能を持たせることにより、不特定多数相手に暗号化送信データを送信しても、パスワードを受け取ったユーザーの通信情報機器だけに解読できるようにすることができる。
【００５５】
（１１）本発明のカード排出装置は、
前記通信部は、
ネットワークを介して通信機能付き携帯情報機器と無線でデータの送受信を行うよう構成され、
通信機能付き携帯情報機器を内部に配置可能な電波遮蔽ユニットを含む電波遮蔽ユニット部を、さらに含むことを特徴とする。
【００５６】
無線でデータのやりとりを行う場合、カード払い出し装置が、どのようにして通信相手となる携帯情報機器を特定するかが問題となる。ここでは、カード払い出し装置を使用しているユーザーの持っている携帯情報機器と通信させたいので、例えば最初にユーザーに通信を携帯情報機器を電波遮蔽ユニットの内部においてもらうことにおり、当該携帯情報機器とのみ無線通信を行うことができる。
【００５７】
電波遮蔽ユニットは、カード排出装置のカード取り出し口の部分にもうけるようにしてもよい。例えばカード取り出し口の壁面を電波遮蔽部材で多い、カード取り出し用の開口部に電波遮蔽部材で覆われた扉を設けるようにしてもよい。そして内部にカード払い出し装置からの無線信号を送信する内部アンテナを設けるようにしてもよい。このようにすると、通信時に電波遮蔽ユニットの内部に携帯情報機器配置し、扉を閉めることにより内部は電波遮蔽空間となるので、内部アンテナから送信された信号は、内部の携帯情報機器のみが受信することができる。
【００５８】
（１２）本発明は、
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
排出されたカードの排出カード識別情報を検出するカード情報検出部と、
ネットワークを介してデータの送受信を行う通信部と、を含み
前記通信部は、
検出した排出カード識別情報を送信し、
前記携帯情報機器は、
ネットワークを介してデータの送受信を行う通信部と、
カードに関連したカード関連情報が格納されたカードファイルを管理するカードファイル管理部と、を含み、
前記通信部は、
前記排出カード識別情報を受信し、
前記カードファイル管理部は、
受信した排出カード識別情報に基づき、カードファイルのカード関連情報を更新することを特徴とする。
【００５９】
カード識別情報とは、カードやカードの種類やカードの属性を特定するための情報であり、カードにシリアルに付加されたＩＤや番号でもよいし、カードの種類やカードの持つ属性等に応じて付加されたＩＤや番号でもよい。
【００６０】
カード識別情報は、バーコード、磁気記録媒体、ＩＣチップ等に格納された情報としてカードに付加するようにしてもよい。
【００６１】
ネットワークを介して接続されたとは、インターネットや専用回線、またはＰＨＳなどの通信網を介して接続される場合でもよいし、有線または無線のＬＡＮ回線を介して接続される場合でもよいし、赤外線通信で接続される場合でもよい。
【００６２】
なおカードの払い出しは有償無償を問わない。
【００６３】
携帯情報機器とは例えば携帯型ゲーム機や携帯電話等の無線通信機能付き携帯型情報機器である。
【００６４】
カードファイルには、カードを用いて所与のゲームを行う場合にゲーム結果やゲームによって変化したキャラクタの属性や設定やパラメータ等のカードに関連して設定されるカード関連情報が、カード識別情報に関連付けて格納されている。
【００６５】
ここでカード自体に記憶されている情報はカード識別情報のみで、カード関連情報はカード自体には記録されていない場合には、カード関連情報をカード読み取り機で読み取ることはできない。
【００６６】
本発明によれば、かかる場合でもカード関連情報送信要求を送信し、送信先の携帯情報機器からカード関連情報を受信して、受け取ったカード関連情報を用いてゲームを実行することができる。
【００６７】
カード関連情報送信要求は、送信相手が特定できる場合にはユニキャスト方式で送信するようにしてもよい。また送信相手が特定できない場合にはブロードキャスト方式で送信するようにしてもよい。
【００６８】
（１３）本発明は、
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
所与のゲームを実行するゲーム実行部と、
ネットワークを介してデータの送受信を行う通信部と、を含み
前記ゲーム実行部は、
実行されたゲーム結果に基づき、ゲーム結果情報を生成し、
前記通信部は、
前記ゲーム結果情報を送信し、
前記携帯情報機器は、
ネットワークを介してデータの送受信を行う通信部と、
カードに関連づけられた情報が格納されたカードファイルを管理するカードファイル管理部と、を含み、
前記通信部は、
前記ゲーム結果情報を受信し、
前記カードファイル管理部は、
受信したゲーム結果情報に基づき、カードファイルの内容を更新することを特徴とする。
【００６９】
（１４）本発明のカード情報管理システムは、
前記カード排出装置は、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信し、
前記携帯情報機器は、
パスワード入力受け付け部をさらに含み、
前記カードファイル管理部は、
入力されたパスワードと当該機器を特定する機器特定情報を含む情報送信要求を生成し、情報送信要求に応じて受け取った送信データに基づき、カードファイルのカード関連情報を更新し、
前記通信部は、
前記情報送信要求を無線で送信し、送信データを無線で受信することを特徴とする。
【００７０】
（１５）本発明のカード情報管理システムは、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信し、
前記携帯情報機器は、
パスワード入力受け付け部をさらに含み、
前記カードファイル管理部は、
入力されたパスワードを暗号化キーとして、受信した暗号化送信データを解読し、カードファイルのカード関連情報を更新し、
前記通信部は、
暗号化送信データを無線で受信することを特徴とする。
【００７１】
（１６）本発明は、
ネットワークを介して接続されたカード排出装置と携帯情報機器とを含むカード情報管理システムであって、
前記カード排出装置は、
カード識別情報が付加されたカードを格納し、格納されたカードを排出するカード排出部と、
所与のゲームを実行するゲーム実行部と、
カードを格納し、格納されたカードを排出するカード排出部と、
ネットワークを介してデータの送受信を行う通信部とを、
カードに付加されているカード識別情報を読み取るカード情報読み取り部と、を含み
前記ゲーム実行部は、
カード識別情報に基づき当該カードに関連した情報の送信を要求するためのカード関連情報送信要求を作成し、カード関連情報送信要求に対応して受け取ったカード関連情報を用いてゲームを実行し、
前記通信部は、
前記カード関連情報送信要求を送信し、カード関連情報を受信し、
前記携帯情報機器は、
ネットワークを介してデータの送受信を行う通信部と、
カードに付帯させる情報が格納されたカードファイルを管理するカードファイル管理部と、を含み、
前記通信部は、
カード関連情報送信要求を受信し、カード関連情報送信要求に対応したカード関連情報を送信し、
前記カードファイル管理部は、
カード関連情報送信要求に基づき、当該カードに関連付けてカードファイルに格納されている情報を読み出してカード関連情報を生成することを特徴とする。
【００７２】
（１７）本発明のカード情報管理システムは、
前記ゲーム実行部は、
サーバを介して他の払い出し装置とマルチプレーヤゲームを行うことを特徴とする。
【００７３】
（１８）本発明のカード情報管理システムは、
前記カード排出装置の前記ゲーム実行部は、
実行されたマルチプレーヤゲームのゲーム結果に基づき、ゲーム結果情報を生成することを特徴とする。
【００７４】
（１９）本発明のカード情報管理システムは、
前記カード排出装置の前記ゲーム実行部は、
カード関連情報送信要求に対応して受け取ったカード関連情報を用いてマルチプレーヤを行うことを特徴とする。
【００７５】
（２０）本発明は、
物品排出装置であって、
物品を格納し、格納された物品を排出する物品排出部と、
ネットワークを介してデータの送受信を行う通信部とを、
を含むことを特徴とする。
【００７６】
ネットワークを介して接続されたとは、インターネットや専用回線、またはＰＨＳなどの通信網を介して接続される場合でもよいし、有線または無線のＬＡＮ回線を介して接続される場合でもよいし、赤外線通信で接続される場合でもよい。
【００７７】
なお物品の払い出しは有償無償を問わない。
【００７８】
（２１）本発明の物品排出装置は、
前記物品排出部は、
物品識別情報が付加された物品を格納し、
排出された物品の物品識別情報である排出物品識別情報を検出する排出物品識別情報検出部と、を含み、
前記通信部は、
検出した排出物品識別情報または排出物品識別情報に基づき生成される情報を送信することを特徴とする。
【００７９】
物品識別情報とは、物品や物品の種類や物品の属性を特定するための情報であり、物品にシリアルに付加されたＩＤや番号でもよいし、物品の種類や物品の持つ属性等に応じて付加されたＩＤや番号でもよい。
【００８０】
物品識別情報は、バーコード、磁気記録媒体、ＩＣチップ等に格納された情報としてカードに付加するようにしてもよい。
【００８１】
物品識別情報検出部は、物品排出部から排出される物品に記録された物品識別情報が排出時に読み取り可能な位置に設けられる。
【００８２】
物品識別情報の検出は、物品排出部から物品が排出される際に読み取り装置を用いて検出することができ、バーコードが貼付された物品であれば光学式のスキャナで検出することができる。またＩＣチップを内臓する物品であれば電波を用いたリーダで検出することができる。
【００８３】
排出物品識別情報に基づき生成される情報とは、例えば物品識別情報に関連づけて設定された当たり情報やポイント情報や占い情報、その他の情報である。
【００８４】
このようにすると、払い出した物品に対応した当たりハズレの情報やポイント情報や占い情報、その他の情報をユーザーの携帯情報機器等に送信することができる。
【００８５】
検出した排出物品識別情報は、送信相手が特定できる場合にはユニキャスト方式で送信するようにしてもよい。また送信相手が特定できない場合にはブロードキャスト方式で送信するようにしてもよい。
【００８６】
（２２）本発明の物品排出装置は、
所定のパスワードを生成して出力するとともに、
出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、
前記通信部は、
情報送信要求を無線で受信し、送信データを無線で送信することを特徴とする。
【００８７】
所定のパスワードは、例えば物品排出装置の表示部に出力するようにしてもよい。
【００８８】
そしてユーザーは出力されたパスワードを、通信情報機器（例えば携帯型ゲーム機や携帯電話等の無線通信機能付き携帯型情報機器やパーソナルコンピュータ等）に入力すると、通信情報機器は入力されたパスワードと自機の機器特定情報を含む情報送信要求を送信するようにしてもよい。
【００８９】
このようにすると物品払い出し装置は、排出物品識別情報送信要求の中に自機が出力したパスワードが含まれていれば、その送信元が所与の情報を送信すべき相手であると認識でき、情報送信要求に含まれる機器特定情報に基づき当該データの送信元の機器アドレスを特定し、特定された機器対してして送信データを送信することができる。
【００９０】
このように本発明によれば、パスワードを受け取ったユーザーの通信情報機器だけにユニキャスト（Unicast）方式で、排出カード識別情報を送信することができる。
【００９１】
またカード関連情報送信要求は、ブロードキャスト（Broadcast）方式で送信するようにしてもよい。
【００９２】
ここで送信データとは、物品識別番号そのものでもよいし、払いだされた物品に対して設定されたあたりはずれ情報でもよいし、ボーナス情報や、占い情報、その他の情報でもよい。
【００９３】
（２３）本発明の物品排出装置は、
所定のパスワードを生成して出力すると共に、出力したパスワードを暗号キーとして送信データを暗号化して暗号化送信データを生成するパスワード処理部をさらに含み、
前記通信部は、
暗号化送信データを無線で送信することを特徴とする。
【００９４】
所定のパスワードは、例えば物品排出装置の表示部に出力するようにしてもよい。
【００９５】
また物品関連情報送信要求は、ブロードキャスト（Broadcast）方式で送信するようにしてもよい。
【００９６】
通信情報機器に所定のパスワード入力を受け付け、所定のパスワードに基づき暗号化送信データを解読するような機能を持たせることにより、不特定多数相手に暗号化送信データを送信しても、パスワードを受け取ったユーザーの通信情報機器だけに解読できるようにすることができる。
【００９７】
ここで送信データとは、物品識別番号そのものでもよいし、払いだされた物品に対して設定されたあたりはずれ情報でもよいし、ボーナス情報や、占い情報、その他の情報でもよい。
【００９８】
（２４）本発明の物品排出装置は、
前記通信部は、
ネットワークを介して通信機能付き携帯情報機器と無線でデータの送受信を行うよう構成され、
通信機能付き携帯情報機器を内部に配置可能な電波遮蔽ユニットを含む電波遮蔽ユニット部を、さらに含むことを特徴とする。
【００９９】
無線でデータのやりとりを行う場合、物品払い出し装置が、どのようにして通信相手となる携帯情報機器を特定するかが問題となる。ここでは、物品払い出し装置を使用しているユーザーの持っている携帯情報機器と通信させたいので、例えば最初にユーザーに通信を携帯情報機器を電波遮蔽ユニットの内部においてもらうことにおり、当該携帯情報機器とのみ無線通信を行うことができる。
【発明を実施するための最良の形態】
【０１００】
本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【０１０１】
１．カード払い出し装置
１−１  カード払い出し装置の構造
図１は本実施の形態のカード排出装置１の全体斜視図である。カード排出装置１の前面上部には表示部２が配置されている。また、表示部２の下方には操作部３が設けられ、操作部３にはゲーム操作を行うためのボタン４、５、６が対戦ゲームを行えるように二組左右に配置されている。
【０１０２】
操作部３の下方にはコイン投入口７が配置されている。また、カード排出装置１の前面下部にはカード排出口８が配置されている。
【０１０３】
また操作部３の下方にはカード挿入部１０が設けられている。カード挿入部１０は、カードに付加されているカード識別情報を読み取るカード情報読み取り部として機能する。
【０１０４】
図２はカード排出装置１の内部構造を示す正面図である。カード排出装置１の内部には２つのカード排出部９、１０がカード排出口８の上方に位置するように横方向に並べて配置されている。
【０１０５】
図３はカード排出部９とカード排出口８の内部構造を示す縦断面図である。カード排出部９の内部にはカードストック１２が配置され、カードストック１２にはカード１１が垂直に積み重ねられた状態で格納され、ローラ１４が回転することによってカード１１が１枚づつ排出される。ローラ１４の対面にはカード識別情報検出部２０が取り付けられ、排出されるカードのカード識別情報を読み取れるようになっている。
【０１０６】
カード識別情報の読み取りの際にはカードストッパー３７が立ち上がり、カード識別情報検出部２０が確実にカード識別情報を読み取れるようになっている。カード識別情報の読み取りが完了すればカードストッパー３７が外れ、カード１１はカード排出口８に排出される。カード排出口８の内部にはカーテン３８が取り付けられ、カードストック１２、１３のいずれからカードが排出されたかを外部から視認できないようになっている。
【０１０７】
図２５はカード排出部９とカード排出口８の内部構造を示す縦断面図の他の例である。ここではローラ１４はカード１１のカード識別情報が読み取れる位置までカード１１を移動した後一旦回転を停止し、カード識別情報の読み取り完了後に回転を再開してカード１１をカード排出口８に排出する。
１−２  通信部を備えたカード払い出し装置
第１の実施形態のカード排出装置は、カードを格納し、格納されたカードを排出するカード排出部と、ネットワークを介してデータの送受信を行う通信部とを、含むことを特徴とする。
【０１０８】
図４は第１の実施形態のカード排出装置１の機能ブロックの一例である。本実施形態のカード排出装置１は、少なくとも処理部１４、記憶部１５、カード排出部９通信部１７を含めばよく、それ以外のブロックについては、任意の構成要素とすることができる。
【０１０９】
ここで処理部１７は、カード排出装置１の制御、各機能ブロックへの命令の指示、画像処理、音処理などの各種の処理を行うものであり、その機能は各種プロセッサ（ＣＰＵ、ＤＳＰ等）、あるいはＡＳＩＣ（ゲートアレイ等）などのハードウェアや、所与のプログラムにより実現できる。
【０１１０】
操作部３は、購入者が入力する操作データを受け付け、処理部１７に対して操作データを通知する処理を行うものであり、その機能は、レバー、ボタンなどのハードウェアにより実現できる。
【０１１１】
コイン受け付け部７は、購入者からのコイン投入を検知し、処理部１７に対して通知する処理を行う。
【０１１２】
記憶部１８は、処理部１７などのワーク領域となるもので、メインメモリ、フレームバッファとして機能し、ＲＡＭなどのハードウェアにより実現できる。
【０１１３】
表示部２は、本実施形態により生成された画像を出力するものであり、その機能は、ＣＲＴ、ＬＣＤなどのハードウェアにより実現できる。
【０１１４】
音出力部２６は、本実施形態により生成された音を出力するものであり、その機能は、スピーカなどのハードウェアにより実現できる。
【０１１５】
カード排出部９は、カードを格納し、コイン投入が検知された場合、または操作データが入力された場合にカードを１枚づつ排出するものであり、カードストック１２を含む。カードストック１２はカードを格納しておく場所である。
【０１１６】
通信部１９は、ネットワークを介してデータの送受信を行うものであり、その機能は、各種プロセッサ、あるいは通信用ＡＳＩＣなどのハードウェアや、所与のプログラムにより実現できる。
【０１１７】
特に本実施形態では、通信部１９が無線ＬＡＮ機能を備えている。カード払い出し装置が内蔵する無線ＬＡＮ機能は、IEEE 802.11規格（例えば、IEEE 802.11b）に準拠しており、ブロードキャスト方式、ユニキャスト方式、あるいはマルチキャスト方式によるパケット通信（データ通信）を行うことができる。
【０１１８】
ブロードキャスト（Broadcast）方式とは、自機の通信可能範囲内に存在する不特定多数の相手（ノード）に向かってデータ(データを含むパケット)を送信する通信方式である。この方式では、自機の通信可能範囲の全体を意味する特殊なネットワークアドレスを指定することによってデータの送信を行なう。
【０１１９】
またユニキャスト（Unicast）方式とは、自機の通信可能範囲内で、単一のネットワークアドレスを指定して特定の相手（ノード）にデータ（データを含むパケット）を送信する通信方式であって、マルチキャスト（Multicast）方式とは、自機の通信可能範囲内で、複数の相手（ノード）のネットワークアドレスを指定して同じデータ（データを含むパケット）を送信する通信方式である。
【０１２０】
１−３  排出カード識別番号を送信するカード払い出し装置
第２の実施の形態のカード払い出し装置は、第１の実施の形態に加えて、
前記カード排出部が、カード識別情報が付加されたカードを格納し、排出されたカードのカード識別情報である排出カード識別情報を検出する排出カード識別情報検出部とを含み、前記通信部は、検出した排出カード識別情報を無線で送信することを特徴とする。
【０１２１】
ここでカード識別情報とは、カードやカードの種類やカードの属性を特定するための情報であり、カードにシリアルに付加されたＩＤや番号でもよいし、カードの種類やカードの持つ属性等に応じて付加されたＩＤや番号でもよい。
【０１２２】
カード識別情報は、バーコード、磁気記録媒体、ＩＣチップ等に格納された情報としてカードに付加するようにしてもよい。
【０１２３】
カード識別情報の検出は、カード排出部からカードが排出される際に読み取り装置を用いて検出することができ、バーコードが貼付されたカードであれば光学式のスキャナで検出することができる。また磁気記録媒体が貼付されたカードであれば磁気を用いたカードリーダで検出することができ、ＩＣチップを内臓するカードであれば電波を用いたカードリーダで検出することができる。
【０１２４】
検出した排出カード識別情報は、送信相手が特定できる場合にはユニキャスト方式で送信するようにしてもよい。また送信相手が特定できない場合にはブロードキャスト方式で送信するようにしてもよい。
【０１２５】
図５は第２の本実施形態のカード排出装置３０の機能ブロックの一例である。第１の実施の形態と同じブロックには同じ番号を付しており説明を省略する。
【０１２６】
第２の実施形態のカード排出装置は、カード排出部９はカード情報検出部２０を含む。カード識別情報検出部２０は、排出されたカードのカード識別情報を検出するものである。
【０１２７】
記憶部１８は、カード識別情報記憶部２２を含む。カード識別情報記憶部２２は、カード識別情報検出部２０によって検出されたカード識別情報が記憶されるものである。
【０１２８】
ここにおいて通信部１９は、カード識別情報記憶部２２に記憶された検出した排出カード識別情報を無線で送信するネットワークを介して接続された携帯情報機器に向けて送信する。
【０１２９】
１−４  ゲーム実行部を備えたカード払い出し装置
第３の実施の形態のカード払い出し装置は、第１の実施の形態又は第２の実施の形態に加えて、所与のゲームを実行するゲーム実行部とをさらに含むことを特徴とする。
【０１３０】
ゲーム実行部は、入力情報及び所与のゲームプログラムに基づき所与のゲームを実行する。
【０１３１】
図６は第３の実施形態のカード排出装置４０の機能ブロックの一例である。第１の実施の形態又は第２の実施の形態と同じブロックには同じ番号を付しており説明を省略する。
【０１３２】
処理部１７はゲーム実行部２３を含む。ゲーム実行部２３は、操作部３からの操作データに基づいて所与のゲームのゲーム処理を行いゲーム結果をゲーム結果記憶部１８に書き込む処理を行うものである。
【０１３３】
前記ゲーム実行部２３は、ゲーム実行に先立ち排出されたカードの排出カード識別情報を用いて、ゲームを実行するようにしてもよい。
【０１３４】
またゲーム実行部２３は、実行されたゲーム結果に基づき、ゲーム結果情報を生成し、前記通信部１９は、前記ゲーム結果情報を無線で送信するようにしてもよい。
【０１３５】
またゲーム実行部２３は、前記ゲーム結果情報の通信状況に応じてゲーム時間を延長するようにしてもよい。
【０１３６】
なおカード排出部９は、ゲーム実行後にカードを排出するようにしてもよい。
【０１３７】
１−５  カード情報を用いてゲームを行うカード払い出し装置
第４の実施の形態のカード払い出し装置は、カードに付加されているカード識別情報を読み取るカード情報読み取り部とをさらに含み、カード読み取り機で読み取ったカードの情報を用いてゲームを行うことを特徴とする。
【０１３８】
図７は第４の実施形態のカード排出装置５０の機能ブロックの一例である。第１の実施の形態乃至第４の実施の形態のいずれかと同じブロックには同じ番号を付しており説明を省略する。
【０１３９】
第４の本実施形態のカード排出装置５０は、カード情報読み取り部２５をさらに含む。カード情報読み取り部２５は、カードに付加されているカード識別情報を読み取る。
【０１４０】
ゲーム実行部２３は、カード識別情報に基づき当該カードに関連した情報の送信を要求するためのカード関連情報送信要求を作成し、カード関連情報送信要求に対応して受け取ったカード関連情報を用いてゲームを実行し、前記通信部は、前記カード関連情報送信要求を無線で送信し、カード関連情報を無線で受信する。
【０１４１】
１−６  パスワードを出力するカード払い出し装置
第５の実施の形態のカード払い出し装置は、パスワードを生成して出力することで、無線の通信相手を特定する構成を有することを特徴とする。
【０１４２】
図８は第５の実施形態のカード排出装置６０の機能ブロックの一例である。第１の実施の形態乃至第５の実施の形態のいずれかと同じブロックには同じ番号を付しており説明を省略する。
【０１４３】
第５の本実施形態のカード排出装置６０の処理部１７は、パスワード処理部２４をさらに含む。
【０１４４】
パスワード処理部２４は、所定のパスワードを生成して出力するとともに、出力したパスワードを含む情報送信要求を受け取ると、情報送信要求に含まれる機器特定情報に基づき当該データの送信元の機器を特定して、当該機器に対して所与の情報を送信するための送信データを生成する処理を行うようにしてもよい。
【０１４５】
そして前記通信部１９は、情報送信要求を無線で受信し、送信データを無線で送信するようにしてもよい。
【０１４６】
所定のパスワードは、例えばカード排出装置の表示部に出力するようにしてもよい。
【０１４７】
そしてユーザーは出力されたパスワードを、通信情報機器（例えば携帯型ゲーム機や携帯電話等の無線通信機能付き携帯型情報機器やパーソナルコンピュータ等）に入力すると、通信情報機器は入力されたパスワードと自機の機器特定情報を含む排出カード識別情報送信要求を送信するようにしてもよい。
【０１４８】
このようにするとカード払い出し装置は、情報送信要求の中に自機が出力したパスワードが含まれていれば、その送信元が送信データを送信すべき相手であると認識でき、情報送信要求に含まれる機器特定情報に基づき当該データの送信元の機器アドレスを特定し、特定された機器対してして排出カード識別情報を送信することができる。
【０１４９】
このように本発明によれば、パスワードを受け取ったユーザーの通信情報機器だけにユニキャスト（Unicast）方式で、排出カード識別情報を送信することができる。
【０１５０】
またカード関連情報送信要求は、ブロードキャスト（Broadcast）方式で送信するようにしてもよい。
【０１５１】
またパスワード処理部２４は、所定のパスワードを生成して出力すると共に、出力したパスワードを暗号キーとして送信データを暗号化して暗号化送信データを生成する処理を行うようにしてもよい。
【０１５２】
そして通信部１９は、暗号化送信データを無線で送信するようにしてもよい。
【０１５３】
所定のパスワードは、例えばカード排出装置の表示部に出力するようにしてもよい。
【０１５４】
またカード関連情報送信要求は、ブロードキャスト（Broadcast）方式で送信するようにしてもよい。
【０１５５】
通信情報機器に所定のパスワード入力を受け付け、所定のパスワードに基づき暗号化送信データを解読するような機能を持たせることにより、不特定多数相手に暗号化排出カード識別情報を送信しても、パスワードを受け取ったユーザーの通信情報機器だけに解読できるようにすることができる。
【０１５６】
１−８  電波遮蔽ユニットを有するカード払い出し装置
第６の実施の形態のカード払い出し装置は、電波遮蔽ユニットを有することを特徴とする。
【０１５７】
図２３（Ａ）は電波遮蔽ユニットを有するカード払い出し装置の全体斜視図であり、図２３（Ｂ）は電波遮蔽ユニット部分の図である。
【０１５８】
図２３（Ａ）に召すように、カード払い出し装置１の、カード排出口８は電波遮蔽ユニット部９０として機能するように構成されている。電波遮蔽ユニット部９０は、図２３（Ｂ）に召すように、通信機能付き携帯情報機器８０を内部に配置可能に構成されている。通信部は、ネットワークを介して通信機能付き携帯情報機器８０と無線でデータの送受信を行うよう構成されている。
【０１５９】
無線でデータのやりとりを行う場合、カード払い出し装置が、どのようにして通信相手となる携帯情報機器を特定するかが問題となる。ここでは、カード払い出し装置を使用しているユーザーの持っている携帯情報機器と通信させたいので、例えば最初にユーザーに通信を携帯情報機器８０を電波遮蔽ユニット９０の内部においてもらうことにおり、当該携帯情報機器８０とのみ無線通信を行うことができる。
【０１６０】
電波遮蔽ユニットは、カード排出装置のカード排出口８の部分にもうけるようにしてもよい。例えばカード排出口８の壁面を電波遮蔽部材で多い、カード取り出しの開口部に電波遮蔽部材で覆われた扉９４を設けるようにしてもよい。そして内部にカード払い出し装置からの無線信号を送信する内部アンテナ９２を設けるようにしてもよい。このようにすると、通信時に電波遮蔽ユニット９０の内部に携帯情報機器配置８０し、扉９４を閉めることにより内部は電波遮蔽空間となるので、内部アンテナから送信された信号は、内部の携帯情報機器８０のみが受信することができる。
【０１６１】
なお上記実施の形態では電波遮蔽ユニット９０を、カード排出口８に設ける場合を例にとり説明したが是に限られない。例えばカード払い出し装置の筐体の他の部分に設けても良い。
【０１６２】
２．カード情報管理システム
図９は本実施の形態のカード情報管理システム７０について説明するための図である。
【０１６３】
本実施形態のカード情報管理システム７０はカード排出装置１と携帯情報機器８０を含み、カード排出装置１と携帯情報機器８０は無線のネットワーク７２を介して接続されている。
【０１６４】
カード排出装置１は上記実施の形態で説明した構成を有している。また携帯情報機器８０は、携帯型ゲーム機や携帯電話等の無線通信機能付き携帯型情報機器等でもよい。
【０１６５】
無線通信の方式としては、無線ＬＡＮ、ブルートゥース（Bluetooth；登録商標）、赤外線などの各種方式が考えられる。
【０１６６】
無線通信の態様としては、携帯情報機器８０とカード排出装置１が自律分散的にネットワークを構築し、直接的にゲーム情報等を含むパケットの送受信を行うアドホックモードでもよい。
【０１６７】
図２４は、本実施形態のカード情報管理システム７０を構成する携帯情報機器８０の外観図である。
【０１６８】
本実施形態のゲーム機８０は、ディスプレイ４１２（液晶ディスプレイ等）、方向キー４１４、操作ボタン４１６、補助操作ボタン４１７Ｒ，４１７Ｌ、セレクトボタン４１８、スタートボタン４２０、アナログスティック４４０などの入力インターフェースを備えている。またゲーム機８０には、プレーヤが音入力（音声入力）を行うための音入力装置（マイク）が入力インターフェースとして設けられていてもよい。
【０１６９】
ディスプレイ４１２（表示部）には種々の画像（ゲーム画像、表示物）が表示される。即ちプレーヤが操作するプレーヤキャラクタ（広義には移動オブジェクト）や、オブジェクト（例えばブロック、また広義には移動オブジェクト、ターゲットオブジェクト）や、背景などの画像が表示される。また得点、ポイント、ステータスなどの各種ゲーム状況情報を知らせる画像が表示される。
【０１７０】
プレーヤは、ディスプレイ４１２に表示されるゲーム画像を見ながら、左手と右手で方向キー４１４や操作ボタン４１６を操作してゲームを行う。またディスプレイ４１２がタッチパネル機能を有している場合、プレーヤは、ディスプレイ４１２に触れることで入力を行うことができる。なおディスプレイ４１２がタッチパネル機能を有している場合、プレーヤが手でディスプレイ４１２に触れることにより入力が行われてもよいし、スタイラス（入力ペン）の先端でディスプレイ１２に触れることにより入力が行われてもよい。
【０１７１】
また同図に示すように、本実施形態の携帯情報機器８０は側部に、無線通信スイッチ４５０を備えている。本実施形態の携帯情報機器８０では、無線通信スイッチ４５０が、オンにされることにより、他のゲーム機やカード排出装置１との無線通信が可能となる通信モードに設定される。
【０１７２】
無線通信の方式としては、無線ＬＡＮ、ブルートゥース（Bluetooth；登録商標）、赤外線などの各種方式が考えられる。特に本実施形態のゲーム機ＧＴでは、IEEE802.11プロトコルに準拠した無線ＬＡＮ機能を備えており、無線通信スイッチ５０のオン状態において、上述したアドホックモードあるいはインフラストラクチャモードによる無線ＬＡＮ通信を行うことができる。
【０１７３】
また本実施形態の携帯情報機器８０は側部に、メモリカード用スロット６０（携帯型情報記憶媒体用スロット）を備えている。このメモリカード用スロット６０にメモリカードを挿入することで、メモリカード内にゲームのセーブデータ等を保存したり、セーブデータ等を読み込んでゲームアプリケーションで使用したりすることができる。
【０１７４】
図１０は、本実施形態の携帯情報機器８０の機能ブロック図の例を示す。なお、本実施形態のゲーム機は、図１０の構成要素（各部）を全て含む必要はなく、その一部を省略した構成としてもよい。
【０１７５】
入力インターフェース１６０は、プレーヤが行った操作等をデータとして入力するためのものであり、その機能は、コントローラ、操作ボタン、操作レバー、タッチパネル或いはマイク（音入力装置）などのハードウェアにより実現できる。
【０１７６】
入力インターフェース１６０は、例えばカーソルで英数字等を特定し、ボタンで特定された英数字等を入力する等によりパスワード入力を受け付けることも可能で、パスワード入力受け付け部として機能する。
記憶部１７０は、処理部１００や通信部１９６などのワーク領域となるもので、その機能はＲＡＭなどのハードウェアにより実現できる。
【０１７７】
情報記憶媒体１８０（コンピュータにより読み取り可能な媒体）は、プログラムやデータなどを格納するものであり、その機能は、光ディスク（ＣＤ、ＤＶＤ等）、光磁気ディスク（ＭＯ）、磁気ディスク、ハードディスク、磁気テープ、或いはメモリ（ＲＯＭ）などのハードウェアにより実現できる。
【０１７８】
処理部１００は、この情報記憶媒体１８０に格納されるプログラム（データ）や携帯型情報記憶媒体１９４から読み出されたデータなどに基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【０１７９】
また携帯型情報記憶媒体１９４には、プレーヤの個人データやゲームのセーブデータ等、本実施形態の各部としてコンピュータを機能させるためのプログラムのための補助データ（付加データ）が記憶される。なお携帯型情報記憶媒体１９４は、メモリカード、磁気カード、ＩＣカード、バーコードが印字されたカード等であってもよい。また携帯型情報記憶媒体１９４の代替品として、携帯型ゲーム機や携帯電話等の携帯情報端末のメモリ等を用いてもよい。
【０１８０】
携帯型情報記憶媒体１９４はカードファイル１９８を記憶するようにしてもよい。カードファイルには、カード識別情報に関連付けてカード関連情報が記憶されている。
【０１８１】
表示部１９０は、本実施形態により生成された画像を出力するものであり、その機能は、ＣＲＴディスプレイ、ＬＣＤ（液晶ディスプレイ）、ＯＥＬＤ(有機ＥＬディスプレイ)、ＰＤＰ（プラズマディスプレイパネル）、タッチパネル型ディスプレイ、或いはＨＭＤ（ヘッドマウントディスプレイ）などのハードウェアにより実現できる。音出力部１９２は、本実施形態により生成された音を出力するものであり、その機能は、スピーカ、或いはヘッドフォンなどのハードウェアにより実現できる。
【０１８２】
通信部１９６は、外部（例えばホスト装置や他のゲーム機）との間で通信を行うための各種の制御を行うものであり、その機能は、各種プロセッサ又は通信用ＡＳＩＣなどのハードウェアや、プログラムなどにより実現できる。
【０１８３】
特に本実施形態のゲーム機ＧＴでは、通信部１９６が無線ＬＡＮ機能を備えている。ゲーム機ＧＴが内蔵する無線ＬＡＮ機能は、IEEE 802.11規格（例えば、IEEE 802.11b）に準拠しており、ブロードキャスト方式、ユニキャスト方式、あるいはマルチキャスト方式によるパケット通信（データ通信）を行うことができる。
【０１８４】
なお本実施形態の各部としてコンピュータを機能させるためのプログラム（データ）は、ホスト装置（ゲームサーバー）が有する情報記憶媒体からネットワーク及び通信部１９６を介して情報記憶媒体１８０（あるいは記憶部１７０）に配信するようにしてもよい。このようなホスト装置（ゲームサーバー）の情報記憶媒体の使用も本発明の範囲内に含めることができる。
【０１８５】
処理部１００（プロセッサ）は、操作部１６０からの操作データやプログラムなどに基づいて、ゲーム演算処理、画像生成処理、或いは音生成処理などを行う。この処理部１００は記憶部１７０をワーク領域として各種処理を行う。処理部１００の機能は各種プロセッサ（ＣＰＵ、ＤＳＰ等）、ＡＳＩＣ（ゲートアレイ等）などのハードウェアや、プログラムにより実現できる。
【０１８６】
処理部１００は、ゲーム演算部１１０、カードファイル管理部１１４、画像生成部１２０、音生成部１３０を含む。
【０１８７】
ゲーム演算部１１０は、ゲーム画像やゲーム音を生成するためのゲーム演算処理を行う。ここでゲーム演算処理としては、ゲームの内容やゲームモードを決定する処理、ゲーム開始条件が満たされた場合にゲームを開始する処理、ゲームを進行させる処理、ゲームプレイにより変化するゲームパラメータ（ゲーム結果）を演算する処理、或いはゲーム終了条件が満たされた場合にゲームを終了する処理などがある。
【０１８８】
またゲーム演算部１１０は、操作部１６０やディスプレイ１９０からの入力情報やプログラム等に基づきに基づき、ゲーム空間内で前記プレーヤキャラクタの位置／動作を演算し、ゲーム空間内でプレーヤキャラクタが移動／動作するゲーム演算を行うもので、表示制御処理や移動・動作処理やゲーム情報受け取り処理やゲーム情報送信処等を行う。
【０１８９】
なおこれらの一部を省略する構成としてもよい。
【０１９０】
カードファイル管理部１１４は、カードに関連したカード関連情報が格納されたカードファイル１８２を管理する処理を行う。
【０１９１】
カードファイル管理部１１４は、受信した排出カード識別情報に基づき、カードファイル１９８のカード関連情報を更新するようにしてもよい。
【０１９２】
またカードファイル管理部１１４は、入力されたパスワードと当該機器を特定する機器特定情報を含む情報送信要求を生成し、情報送信要求に応じて受け取った送信データに基づき、カードファイルのカード関連情報を更新するようにしてもよい。
【０１９３】
またカードファイル管理部１１４は、入力されたパスワードを暗号化キーとして、受信した暗号化送信データを解読し、カードファイルのカード関連情報を更新するようにしてもよい。
【０１９４】
またカードファイル管理部１１４は、受信したゲーム結果情報に基づき、カードファイル１９８の内容を更新するようにしてもよい。
【０１９５】
またカードファイル管理部１９８は、カード関連情報送信要求に基づき、当該カードに関連付けてカードファイルに格納されている情報を読み出してカード関連情報を生成するようにしてもよい。
【０１９６】
画像生成部１２０は、処理部１００で行われる種々の処理（ゲーム処理）の結果に基づいて描画処理を行い、これにより画像を生成し、タッチパネルディスプレイ１９０や表示部１９０に出力する。この場合、画像生成部１２０が生成する画像は、いわゆる２次元画像であってもよいし、３次元画像であってもよい。そして３次元画像を生成する場合には、まず、座標変換（ワールド座標変換、カメラ座標変換）、クリッピング処理、或いは透視変換等のジオメトリ処理が行われ、その処理結果に基づいて、描画データ（プリミティブ面の頂点の位置座標、テクスチャ座標、色データ、法線ベクトル或いはα値等）が作成される。そして、この描画データ（プリミティブ面データ）に基づいて、透視変換後（ジオメトリ処理後）のオブジェクト（１又は複数プリミティブ面）を描画バッファ１７２（フレームバッファ、中間バッファなどのピクセル単位で画像情報を記憶できるバッファ。ＶＲＡＭ）に描画する。これにより、オブジェクト空間内において仮想カメラ（所与の視点）から見える画像が生成される。
【０１９７】
音生成部１３０は、処理部１００で行われる種々の処理の結果に基づいて音処理を行い、ＢＧＭ、効果音、又は音声などのゲーム音を生成し、音出力部１９２に出力する。
【０１９８】
音生成部１３０は選択された曲に関連付けられた楽音を生成し出力する楽音生成処理部として機能する
図２２は、カードファイルについて説明するための情報である。
【０１９９】
カードファイル３００には、カード識別情報３１０に関連付けてカード関連情報３２０が記憶されている。
【０２００】
カード識別情報３１０は、カードやカードの種類やカードの属性を特定するための情報であり、カードにシリアルに付加されたＩＤや番号でもよいし、カードの種類やカードの持つ属性等に応じて付加されたＩＤや番号でもよい。
【０２０１】
３１２はカードの種類をあらわすコードで、３１４はその種類においてシリアルに付された番号である。
【０２０２】
例えばカード識別情報によりゲームを行う際のそのカードに対応したキャラクタや技や属性が決定されるようにしてもよい。
【０２０３】
カード関連情報３２０とは、カードに関連して行われたゲームの勝敗情報３２２や属性情報２３４等である。カード関連情報はゲーム結果等により更新または蓄積または変化するような情報でもよい。
【０２０４】
従来カード払いだし装置から払い出されたカードについては、ユーザー0の携帯情報機器のファイルに反映させることができなかった。
【０２０５】
しかし本実施の形態ではカード払い出し装置が払い出したカードの識別情報についてカード払い出し機から送信されるので、それを受信してカードファイル管理部がカードファイルの内容を更新する。具体的には、カードファイルに新たなカードのカード識別情報が登録されることになる。
【０２０６】
カード自体にカード識別情報のみしか記憶されていない場合には、カードを使用してゲーム結果をカード事態に反映させることはできない。
【０２０７】
しかし本実施の形態では、カード払い出し装置で行われたゲームの結果カード関連情報が更新される事態が発生した場合には、カード関連情報更新情報が送信されるのでそれを受信して、カードファイル管理部がカードファイルのカード関連情報を更新する。このため、カード払い出し装置で行われたゲーム結果をユーザーの携帯情報機器のカードファイルに反映させることができる。
【０２０８】
３  カード払い出し装置と携帯情報機器の処理
３−１  カード識別情報送受信に関する処理
図１１はカード払い出し装置の排出カード送信処理の流れについて説明するためのフローチャート図である。
【０２０９】
コインを受け付けると（ステップＳ１）、カード排出するとともに（ステップＳ２）、排出カード識別情報を検出する（ステップＳ３）。
【０２１０】
次に送信用の排出カード識別情報を生成し（ステップＳ４）、排出カード識別情報を無線で送信する（ステップＳ５）。
【０２１１】
図１２は携帯情報機器のカードファイルを更新信処理の流れについて説明するためのフローチャート図である。
【０２１２】
排出カード識別情報を無線で受信すると（ステップＳ６）、排出カード識別情報に基づき、カードファイルのカード関連情報を更新する（ステップＳ７）。
【０２１３】
３−２  パスワードにより送信相手を特定する処理
図１３はカード払い出し装置がパスワードを出力して送信相手を特定して排出カード送信を行う処理の流れについて説明するためのフローチャート図である。
【０２１４】
コインを受け付けると以下の処理を行う（ステップＳ１０）、
まずパスワードを生成して画面に出力する（ステップＳ４０）。
【０２１５】
そして情報送信要求を無線で受信すると（ステップＳ５０）、情報送信要求に含まれる機器特定情報に基づき当該データの送信元の機器を特定して、当該機器に対して所与の情報を送信するための送信データを生成する（ステップＳ６０）。
【０２１６】
そして送信データを無線で送信する（ステップＳ７０）
図１４は携帯情報機器がパスワードを受け付けてカードファイルを更新する処理の流れについて説明するためのフローチャート図である。
パスワード入力を受け付けると（ステップＳ４２）、入力されたパスワードと当該機器を特定する機器特定情報を含む情報送信要求を生成する（ステップＳ４４）。
【０２１７】
次に情報送信要求を無線で送信する（ステップＳ４６）。
【０２１８】
そして送信データを無線で受信すると（ステップＳ７２）、送信データに基づき、カードファイルのカード関連情報を更新する（ステップＳ７４）。
【０２１９】
３−３  パスワードにより暗号化／復号化する処理
図１５はカード払い出し装置がパスワードにより暗号化した送信データを送信する処理の流れについて説明するためのフローチャート図である。
【０２２０】
コインを受け付けると以下の処理を行う（ステップＳ１１０）。
【０２２１】
まずパスワードを生成して画面に出力する（ステップＳ１４０）。
【０２２２】
次に出力したパスワードを暗号キーとして送信データを暗号化して暗号化送信データを生成する（ステップＳ１５０）。
【０２２３】
次に暗号化送信データを無線で送信する（ステップＳ１６０）
図１６は携帯情報機器が暗号化送信データに基づくカードファイルを更新信処理の流れについて説明するためのフローチャート図である。
【０２２４】
パスワード入力受け付け（ステップＳ１４２）、暗号化送信データを無線で受信すると（ステップＳ１６２）、入力されたパスワードを暗号化キーとして、受信した暗号化送信データを解読し、カードファイルのカード関連情報を更新する（ステップＳ１６４）。
【０２２５】
３−４  排出カード識別情報に基づきゲームを行う処理
図１７はカード払い出し装置が排出カード識別情報に基づきゲームを行う処理の流れについて説明するためのフローチャート図である。
【０２２６】
コインを受け付けると（ステップＳ２１０）、カードが排出されるとともに（ステップＳ２２０）、排出カード識別情報を検出する（ステップＳ２３０）
そしてゲーム実行に先立ち排出されたカードの排出カード識別情報を用いて、ゲームを実行する（ステップＳ２４０）
３−５  ゲーム結果情報を送信する処理
図１８はカード払い出し装置がゲーム結果情報及び排出カード識別情報を送信する処理の流れについて説明するためのフローチャート図である。
【０２２７】
コインを受け付けると（ステップＳ３１０）、以下の処理を行う。
【０２２８】
まずゲームを実行する（ステップＳ３２０）。
【０２２９】
次に実行されたゲーム結果に基づき、ゲーム結果情報を生成する（ステップＳ３３０）。
【０２３０】
次にカードを排出するとともに（ステップＳ３４０）、排出カード識別情報を検出する（ステップＳ３５０）。
【０２３１】
次にゲーム結果情報及び排出カード識別情報を無線で送信する（ステップＳ３６０）。
【０２３２】
図１９は携帯情報機器が受信したゲーム結果情報に基づいてカードファイルを更新する処理の流れについて説明するためのフローチャート図である。
【０２３３】
ゲーム結果情報及び排出カード識別情報を無線で受信すると（ステップＳ３６２）、受信したゲーム結果情報及び排出カード識別情報に基づき、カードファイルのカード関連情報を更新する（ステップＳ３６４）。
【０２３４】
３−６  ゲームに使用するカード関連情報を送受信する処理
図２０はカード払い出し装置がゲームに使用するカード関連情報を受信してゲームを実行する処理の流れについて説明するためのフローチャート図である。
【０２３５】
コインを受け付けると以下の処理を行う（ステップＳ４１０）
まずカード情報読み取り機からカード識別情報を読み取る（ステップＳ４２０
次にカード識別情報に基づき当該カードに関連した情報の送信を要求するためのカード関連情報送信要求を作成する（ステップＳ４３０）。
【０２３６】
次にカード関連情報送信要求を無線で送信（ステップＳ４４０）。
【０２３７】
そしてカード関連情報を無線で受信すると（ステップＳ４５０）、カード関連情報送信要求に対応して受け取ったカード関連情報を用いてゲームを実行する
（ステップＳ４６０）。
【０２３８】
図２１は携帯情報機器のカード関連ファイルを更新信処理の流れについて説明するためのフローチャート図である。
【０２３９】
ゲーム結果情報及び排出カード識別情報を無線で受信すると（ステップＳ４６２）、ゲーム結果情報及び排出カード識別情報に基づき、カードファイルの内容を更新する（ステップＳ４６４）
なお本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【０２４０】
上記実施の形態では、カード払出装置と携帯情報機器が無線でデータの送受信を行う場合を例にとり説明したがこれに限られない。例えばカード払出装置に有線通信用のケーブルの接続口を設け、当該接続口に携帯情報機器を有線で接続することにより有線で通信を行う場合でもよい。
【０２４１】
なお携帯情報機器はサーバを介して他の払い出し装置と通信ゲームを行うように構成してもよい。
【０２４２】
そして、実行されたマルチプレーヤゲームのゲーム結果に基づき、ゲーム結果情報を生成するようにしてもよい。
【０２４３】
またカード関連情報送信要求に対応して受け取ったカード関連情報を用いてマルチプレーヤを行うようにしてもよい。
【０２４４】
また上記実施の形態で説明した構成は、カードを払い出すカード払い出し装置に限られず、物品を格納し、格納された物品を排出する物品排出部と、ネットワークを介してデータの送受信を行う通信部とを含むことを物品排出装置に適用することができる。
【０２４５】
ここで物品排出部は、物品識別情報が付加された物品を格納し、排出された物品の物品識別情報である排出物品識別情報を検出する排出物品識別情報検出部とを含み、前記通信部は、検出した排出物品識別情報または排出物品識別情報に基づき生成される情報を無線で送信するようにしてもよい。
【０２４６】
また所定のパスワードを生成して出力するとともに、出力したパスワードを含む情報送信要求を受け取ると、情報送信要求に含まれる機器特定情報に基づき当該データの送信元の機器を特定して、当該機器に対して所与の情報を送信するための送信データを生成するパスワード処理部をさらに含み、前記通信部は、情報送信要求を無線で受信し、送信データを無線で送信するようにしてもよい。
【０２４７】
また所定のパスワードを生成して出力すると共に、出力したパスワードを暗号キーとして送信データを暗号化して暗号化送信データを生成するパスワード処理部をさらに含み、前記通信部は、暗号化送信データを無線で送信するようにしてもよい。
【０２４８】
また前記通信部は、ネットワークを介して通信機能付き携帯情報機器と無線でデータの送受信を行うよう構成され、通信機能付き携帯情報機器を内部に配置可能な電波遮蔽ユニットを含む電波遮蔽ユニット部を、さらに含むようにしてもよい。
【図面の簡単な説明】
【０２４９】
【図１】本実施の形態のカード排出装置１の全体斜視図である。
【図２】カード排出装置１の内部構造を示す正面図である。カード排出装置１の
【図３】カード排出部の内部構造を示す縦断面図である。
【図４】第１の実施形態のカード排出装置１の機能ブロックの一例である。
【図５】第２の本実施形態のカード排出装置の機能ブロックの一例である。
【図６】第３の実施形態のカード排出装置の機能ブロックの一例である。
【図７】第４の実施形態のカード排出装置の機能ブロックの一例である。
【図８】第５の実施形態のカード排出装置の機能ブロックの一例である。
【図９】本実施の形態のカード情報管理システムについて説明するための図である。
【図１０】本実施形態の携帯情報機器の機能ブロック図の例を示す。
【図１１】カード払い出し装置の排出カード送信処理の流れについて説明するためのフローチャート図である。
【図１２】携帯情報機器のカードファイルを更新信処理の流れについて説明するためのフローチャート図である。
【図１３】カード払い出し装置がパスワードを出力して送信相手を特定して排出カード送信を行う処理の流れについて説明するためのフローチャート図である。
【図１４】携帯情報機器がパスワードを受け付けてカードファイルを更新する処理の流れについて説明するためのフローチャート図である。
【図１５】カード払い出し装置がパスワードにより暗号化した送信データを送信する処理の流れについて説明するためのフローチャート図である。
【図１６】携帯情報機器が暗号化送信データに基づくカードファイルを更新信処理の流れについて説明するためのフローチャート図である。
【図１７】カード払い出し装置が排出カード識別情報に基づきゲームを行う処理の流れについて説明するためのフローチャート図である。
【図１８】カード払い出し装置がゲーム結果情報及び排出カード識別情報を送信する処理の流れについて説明するためのフローチャート図である。
【図１９】携帯情報機器が受信したゲーム結果情報に基づいてカードファイルを更新する処理の流れについて説明するためのフローチャート図である。
【図２０】カード払い出し装置がゲームに使用するカード関連情報を受信してゲームを実行する処理の流れについて説明するためのフローチャート図である。
【図２１】携帯情報機器のカード関連ファイルを更新信処理の流れについて説明するためのフローチャート図である。
【図２２】カードファイルについて説明するための情報である。
【図２３】図２３（Ａ）は電波遮蔽ユニットを有するカード払い出し装置の全体斜視図であり、図２３（Ｂ）は電波遮蔽ユニット部分の図である。
【図２４】本実施形態のカード情報管理システムを構成する携帯情報機器の外観図である。
【図２５】カード排出部の内部構造の他の例を示す縦断面図である。
【符号の説明】
【０２５０】
１  表示部、  ３  音出力部、７  コイン受付部、９  カード排出部、１２  カードストック、１７  処理部、１８  記憶部、１９  通信部、２０  カード情報検出部、２２  カード識別情報記憶部、２３  ゲーム実行部、２４  パスワード処理部、２５  カード読み取り部、２７  ゲーム実行結果記憶部、２９  カード関連情報、８０  携帯情報機器、９０  電波遮蔽ユニット、１００  処理部、１１０  ゲーム演算部、ゲーム演算部、１１２  カードファイル管理部、１２０  画像生成部、１３０  音生成部、１６０  操作部、１６２  音入力装置、１７０  記憶部、１８０  情報記憶媒体、１９０  ディスプレイ、  音出力部、１９４  携帯型情報記憶装置、１９６  通信部
【図１】
2007215704.tif 000003
【図２】
2007215704.tif 000004
【図３】
2007215704.tif 000005
【図４】
2007215704.tif 000006
【図５】
2007215704.tif 000007
【図６】
2007215704.tif 000008
【図７】
2007215704.tif 000009
【図８】
2007215704.tif 000010
【図９】
2007215704.tif 000011
【図１０】
2007215704.tif 000012
【図１１】
2007215704.tif 000013
【図１２】
2007215704.tif 000014
【図１３】
2007215704.tif 000015
【図１４】
2007215704.tif 000016
【図１５】
2007215704.tif 000017
【図１６】
2007215704.tif 000018
【図１７】
2007215704.tif 000019
【図１８】
2007215704.tif 000020
【図１９】
2007215704.tif 000021
【図２０】
2007215704.tif 000022
【図２１】
2007215704.tif 000023
【図２２】
2007215704.tif 000024
【図２３】
2007215704.tif 000025
【図２４】
2007215704.tif 000026
【図２５】
2007215704.tif 000027